(57)【要約】      （修正有）【課題】折曲げ強度が脆弱でなく、電熱線の巾が制約されず、別途サーモスタット等の温度調整制御器の必要でない電熱線を提供する。【解決手段】可撓性通電拠り線の断面を矩形状に加工した通電線１１、１２の大なる１面を、露出させ、且つ、通電線１１、１２を並列に配設した構造を維持して、電気的絶縁材によって、一体成形された支持基盤1の表面に、露出された通電線１１、１２に密着接合するように、自己温度制御機能を有する発熱体材２を塗布し、外皮３によって、長さ方向の両端を除き、外皮３によって覆われた構造を持ち、通電線１１、１２に電圧を印加する事によって発熱体材２が加熱される手段の電熱線。【選択図】図１
2010277867.tif 000002
【特許請求の範囲】
【請求項１】
可撓性通電拠り線の断面を矩形状に加工した通電線１１、１２の大なる１面を、露出させ、且つ、通電線１１、１２を並列に配設した構造を維持して、電気的絶縁材によって、一体成形された支持基盤1の表面に、露出された通電線１１、１２に密着接合するように、自己温度制御機能を有する発熱体材２を塗布し、外皮３によって、長さ方向の両端を除き、外皮３によって覆われた構造を持ち、通電線１１、１２に電圧を印加する事によって発熱体材２が加熱される電熱線。
【請求項２】
自己温度制御機能の発熱体部を塗布したフイルムの発熱体部が通電線１１、１２に接合するように貼付けた構造の請求項１記載の電熱線。
【請求項３】
通電線１１、１２が、組編み線の断面を矩形状に加工した通電線の請求項１，２記載の電熱線。
【発明の詳細な説明】
【技術分野】
【０００１】
本発明は、電熱線に関するものである。
【背景技術】
【０００２】
従来の電熱線構造は、複数の平行した印刷電極、もしくは、箔状電極に自己温度制御機能発熱材を塗布した構造の電熱線。
【０００３】
断面形状が丸型の通電拠り線を並列にして、自己温度制御機能発熱材で一体化し、外皮施工した構造の電熱線
【０００４】
ニクロム線を外皮した構造の電熱線等が提案されている。
【特許文献１】特許公開２００８−１９８４０７
【特許文献２】特許公開平５−０４７４５４
【非特許文献１】株式会社青森フジクラ金矢  ＦヒーターＬＶ、ＨＶシリーズ
【非特許文献２】日本ノーデン株式会社  ノーデンケーブル：電気温床線
【発明の開示】
【発明が解決しようとする課題】
【０００５】
複数の平行した印刷電極、もしくは、箔状電極に自己温度制御機能発熱材を塗布した構造の電熱線は、その電極の断面積が狭小な為、通電電流容量が制限され、分割施工が必要である欠点及び、電極の折曲げ強度が脆弱な欠点があった。
【０００６】
断面形状が丸型の通電拠り線を並列にして、自己温度制御機能発熱材で一体化し、外皮施工した構造の電熱線は、自己温度制御機能発熱材がポリマー系材料である為、電熱線の巾が制約される欠点があった。
【０００７】
ニクロム線を外皮した構造の電熱線は、電力エネルギーの供給の為、閉回路施工、及び、別途サーモスタット等の温度調整制御器が必要となる欠点があった。
以上に述べた従来の提案では、安全性、施工性において不十分であった。
【０００８】
本発明は、以下に述べる解決手段によって上述の問題を解決しようとするものである。
【課題を解決するための手段】
【０００９】
可撓性通電拠り線の断面を矩形状に加工した通電線１１、１２の大なる１面を、露出させ、且つ、通電線１１、１２を並列に配設した構造を維持して、電気的絶縁材によって、一体成形された支持基盤1の表面に、露出された通電線１１、１２に密着接合するように、自己温度制御機能を有する発熱体材２を塗布し、外皮３によって、長さ方向の両端を除き、外皮３によって覆われた構造を持ち、通電線１１、１２に電圧を印加する事によって発熱体材２が加熱される手段の電熱線。
【００１０】
自己温度制御機能の発熱体部を塗布したフイルムの発熱体部が通電線１１、１２に接合するように貼付けた構造の請求項１記載の手段
【００１１】
通電線１１、１２が、組編み線の断面を矩形状に加工した通電線の請求項１，２記載の手段
【発明の効果】
【００１２】
本発明は、以上説明したように構成されているので、以下に記載されるような効果を奏する。
【００１３】
複数の平行した印刷電極、もしくは、箔状電極に自己温度制御機能発熱材を塗布した構造の電熱線は、その電極の断面積が狭小な為、通電電流容量が制限され、分割施工が必要な欠点及び、電極の折曲げ強度が脆弱な欠点を解決した。
【００１４】
断面形状が丸型の通電拠り線を並列にして、自己温度制御機能発熱材で一体化し、外皮施工した構造の電熱線は、自己温度制御機能発熱材がポリマー系材料であるため、電熱線の巾が制約されるため、熱効率が悪くなる欠点を解決した。
【００１５】
ニクロム線を外皮した構造の電熱線は、電力エネルギーの供給の為、閉回路施工、及び、別途サーモスタット等の温度調整制御器が必要となる欠点を解決した。
【発明を実施するための最良の形態】
【００１６】
以下、本発明の実施の形態を図１〜図４に基づいて説明する。
【実施例１】
【００１７】
図１は、本発明の実施例の可撓性通電拠り線の断面を矩形状に加工した通電線１１、１２の大なる１面を、露出させ、且つ、通電線１１、１２を並列に配設した構造を維持して、電気的絶縁材によって、一体成形された支持基盤1の表面に、露出された通電線１１、１２に密着接合するように、自己温度制御機能を有する発熱体材２を塗布し、外皮３によって、長さ方向の両端を除き、外皮３によって覆われた構造の電熱線斜視図。
【００１８】
図２は、本発明の実施例の可撓性通電拠り線の断面を矩形状に加工した通電線１１、１２の大なる１面を、露出させ、且つ、通電線１１、１２を並列に配設した構造を維持して、電気的絶縁材によって、一体成形された支持基盤1の表面に、露出された通電線１１、１２に密着接合するように、自己温度制御機能を有する発熱体材２を塗布し、外皮３によって、長さ方向の両端を除き、外皮３によって覆われた構造の電熱線断面図。
【００１９】
図３は、可撓性通電拠り線の断面を矩形状に加工した通電線１１、１２の大なる１面を、露出させ、且つ、通電線１１、１２を並列に配設した構造を維持して、電気的絶縁材によって、一体成形された支持基盤1の斜視図。
【００２０】
図４は、本発明の実施例の可撓性通電拠り線の断面を矩形状に加工した通電線１１、１２の大なる１面を、露出させ、且つ、通電線１１、１２を並列に配設した構造を維持して、電気的絶縁材によって、一体成形された支持基盤１と自己温度制御機能発熱体２との密着接合部の断面図。
【産業上の利用可能性】
【００２１】
寒冷地での横断歩道、各施設出入り口等の歩行障害者用スロープの凍結防止及び融雪。
【００２２】
鉄道、高速道路等の架橋部の凍結防止及び融雪。
【００２３】
鉄道駅ホーム及び旅客船の乗降ホームの縁端部等の凍結防止及び融雪。
【００２４】
各施設の屋根融雪、樋、配管、送電線の凍結防止及び融雪。
【図面の簡単な説明】
【００２５】
【図１】本発明の実施例の斜視図。
【図２】本発明の実施例の断面図。
【図３】本発明の実施例の支持基盤1の斜視図。
【図４】本発明の実施例の支持基盤１と自己温度制御機能発熱体２と断面図。
【符号の説明】
【００２６】
１  支持基盤１
２  自己温度制御機能発熱体２
３  外皮３
１１  通電線１１
１２  通電線１２
【図１】
2010277867.tif 000003
【図２】
2010277867.tif 000004
【図３】
2010277867.tif 000005
【図４】
2010277867.tif 000006